(57)【要約】      （修正有）【課題】アルファベットで構成される言語の発音を、少ない負担で効率的に練習するための装置を提供する。【解決手段】アルファベットからなる文を記憶し、該文中の複数の単語をつなげて発音することを示す発音連結情報を記憶した記憶部と、表示部１１と、記憶部に記憶された文を表示部１１に表示させるとともに、前記発音連結情報にしたがって複数の単語をつなげて発音することを指示する連結発音指示を表示部１１に表示されている文に合わせて表示させる制御部とを備えたことを特徴とする発音補助情報表示装置。【選択図】図１
0003162269.tif 000002
【実用新案登録請求の範囲】
【請求項１】
アルファベットからなる文を記憶し、該文中の複数の単語をつなげて発音することを示す発音連結情報を記憶した記憶部と、
表示部と、
前記記憶部に記憶された文を前記表示部に表示させるとともに、前記発音連結情報にしたがって複数の単語をつなげて発音することを指示する連結発音指示を前記表示部に表示されている文に合わせて表示させる制御部とを備えたことを特徴とする発音補助情報表示装置。
【請求項２】
前記記憶部は、複数の単語をつなげて発音する際にこれらの単語の一部を弱く発音することを示す弱発音情報を記憶したものであり、
前記制御部は、前記弱発音情報にしたがって弱く発音することを指示する弱発音指示を前記表示部に表示されている文に合わせて表示させるものであることを特徴とする請求項１記載の発音補助情報表示装置。
【請求項３】
前記記憶部は、前記文中のアルファベットとは異なるアルファベットにより発音することを示す変化発音情報を記憶したものであり、
前記制御部は、前記変化発音情報にしたがって発音することを指示する変化発音指示を前記表示部に表示されている文に合わせて表示させるものであることを特徴とする請求項１または２記載の発音補助情報表示装置。
【請求項４】
前記制御部は、前記各指示を互いに異なる色で前記表示部に表示させるものであることを特徴とする請求項２又は３記載の発音補助情報表示装置。
【請求項５】
前記記憶部は、前記各情報にしたがった発音に近い発音になる仮名である発音補助仮名を記憶したものであり、
前記制御部は、前記各指示と共に前記発音補助仮名を前記表示部に表示させるものであることを特徴とする請求項１から４のいずれか１項記載の発音補助情報表示装置。
【請求項６】
音声を出力する音声出力部を備え、
前記記憶部は、前記文である歌詞に合わせたメロディを記憶したものであり、
前記制御部は、前記歌詞に合わせた前記メロディを前記音声出力部に出力させるとともに、該メロディに合わせて該歌詞を前記表示部に表示させるものであることを特徴とする請求項１から５のいずれか１項記載の発音補助情報表示装置。
【請求項７】
前記記憶部は、前記メロディに合わせて前記歌詞を歌う際の息継ぎ位置情報を記憶したものであり、
前記制御部は、前記息継ぎ位置情報に基づく息継ぎ指示を前記歌詞に合わせて前記表示部に表示させるものであることを特徴とする請求項６項記載の発音補助情報表示装置。
【請求項８】
前記制御部は、前記各指示に基づくアニメーションを前記メロディに合わせて前記表示部に表示させるものであることを特徴とする請求項６または７記載の発音補助情報表示装置。
【考案の詳細な説明】
【技術分野】
【０００１】
アルファベットによる文の発音を補助する情報を表示する装置に関する。
【背景技術】
【０００２】
現在、外国語の発音を習得するために様々な装置が提案されている（例えば特許文献１）。この特許文献１には、正しい発音を示す特殊な記号を表示する装置が提案されている。
【先行技術文献】
【特許文献】
【０００３】
【特許文献１】特表２００９−５２５４９２号公報
【考案の概要】
【考案が解決しようとする課題】
【０００４】
特許文献１の発明に代表されるように、発音を正確に習得して外国人とコミュニケーションを図ることができるようになることを目標とした技術がある。しかし、特許文献１の発明では上記特殊な記号を多数覚えなくてはならず、初心者にとって大きな負担となる。このような技術では、発音を習得するどころかかえって習得の意欲を減退させてしまうことがある。また、初心者でも簡単に発音を習得することができるように母国語の表記に基づき外国語の発音をすることも考えられる。しかし、母国語にはない発音の仕方を要求された場合に、その発音に近い母国語の表記をする以外に方法がなく、このため母国語にない発音は習得しにくいという問題がある。
【０００５】
上記課題に鑑み本考案は、アルファベットで構成される言語の発音を、少ない負担で効率的に練習するための装置を提供することを目的とする。
【課題を解決するための手段】
【０００６】
上記課題を解決するために、本考案の発音補助情報表示装置は、
アルファベットからなる文を記憶し、その文中の複数の単語をつなげて発音することを示す発音連結情報を記憶した記憶部と、
表示部と、
上記記憶部に記憶された文を上記表示部に表示させるとともに、上記発音連結情報にしたがって複数の単語をつなげて発音することを指示する連結発音指示を上記表示部に表示されている文に合わせて表示させる制御部とを備えたことを特徴とする。
【０００７】
本考案の発音補助情報表示装置によれば、上記連結発音指示が表示されるため、発音をする際に単語がつながる部分を容易に把握することができ、発音の練習を効果的に行うことができる。
【０００８】
ここで、上記発音補助情報表示装置は、
上記記憶部が、複数の単語をつなげて発音する際にこれらの単語の一部を弱く発音することを示す弱発音情報を記憶したものであり、
上記制御部は、上記弱発音情報にしたがって弱く発音することを指示する弱発音指示を上記表示部に表示されている文に合わせて表示させるものであってもよい。
【０００９】
この発音補助情報表示装置によれば、単語がつながる際に弱く発音する部分があるか否かを容易に把握することができる。
【００１０】
また、上記発音補助情報表示装置は、
上記記憶部が、上記文中のアルファベットとは異なるアルファベットにより発音することを示す変化発音情報を記憶したものであり、
上記制御部が、上記変化発音情報にしたがって発音することを指示する変化発音指示を上記表示部に表示されている文に合わせて表示させるものであってもよい。
【００１１】
この発音補助情報表示装置によれば、上記文中のアルファベットとは異なるアルファベットが表示されるため、上記文中のアルファベットに引きずられて発音してしまうことを防止することができる。
【００１２】
さらに、上記発音補助情報表示装置は、
上記制御部が、上記各指示を互いに異なる色で上記表示部に表示させるものであってもよい。
【００１３】
この発音補助情報表示装置によれば、各指示が色分けされているため、指示の内容を色によって容易に理解することができる。
【００１４】
加えて、上記発音補助情報表示装置は、
上記記憶部が、上記各情報にしたがった発音に近い発音になる仮名である発音補助仮名を記憶したものであり、
上記制御部が、上記各指示と共に上記発音補助仮名を上記表示部に表示させるものであってもよい。
【００１５】
この発音補助情報表示装置によれば、仮名による表示に従って発音できるため、外国語に不慣れな者でも発音練習をすることができる。
【００１６】
さらに加えて、上記発音補助情報表示装置は、
音声を出力する音声出力部を備え、
上記記憶部が、上記文である歌詞に合わせたメロディを記憶したものであり、
上記制御部が、上記歌詞に合わせた上記メロディを音声主力部に出力させるとともに、そのメロディに合わせてその歌詞を上記表示部に表示させるものであってもよい。
【００１７】
この発音補助情報表示装置によれば、歌に合わせて楽しく発音を練習することができる。
【００１８】
また、上記発音補助情報表示装置は、
上記記憶部が、上記メロディに合わせて上記歌詞を歌う際の息継ぎ位置情報を記憶したものであり、
上記制御部が、上記息継ぎ位置情報に基づく息継ぎ指示を上記歌詞に合わせて上記表示部に表示させるものであってもよい。
【００１９】
この発音補助情報表示装置によれば、息継ぎの場所が表示されるため、息が続かなくなって発音がおかしくなってしまうことを防止できる。
【００２０】
さらに、上記発音補助情報表示装置は、
上記制御部が、上記各指示に基づくアニメーションを上記メロディに合わせて上記表示部に表示させるものであってもよい。
【００２１】
この発音補助情報表示装置によれば、各指示を動きで表現することによって各指示が感覚的に理解しやすくなる。
【考案の効果】
【００２２】
本考案によれば、アルファベットで構成される言語の発音を、少ない負担で効率的に練習するための装置を提供することができる。
【図面の簡単な説明】
【００２３】
【図１】本考案の一実施形態である発音補助情報表示装置の外観を示す図である。
【図２】図１に示す発音補助情報表示装置のハードウェア構成を示す図である。
【図３】発音補助情報表示プログラムによって練習用データが再生される処理の流れを示すフローチャートである。
【図４】文章データの一例を示す図である。
【図５】練習用データを再生している様子を示す図である。
【図６】図４に示す文章データに対応する発音補助データを示す図である。
【図７】液晶ディスプレイに出力される内容が変更していく様子を示す図である。
【図８】練習用データによる表示の一例を示す図である。
【図９】（ａ）は、文字色の変化の一例を示す図であり、（ｂ）は、単語同士が近づいていく例を示す図である。
【図１０】息継ぎを示す発音補助データの表示の一例を示す図である。
【図１１】図８に示す表示内容に基づく発音に近い発音を表現した片仮名の文章を示す図である。
【図１２】単語を構成する文字を別の文字に置き換える例を示す図である。
【図１３】図１に示す発音補助情報表示装置の異なる構成を示す図である。
【図１４】図１に示す発音補助情報表示装置をネットワークに接続した様子を示す図である。
【考案を実施するための形態】
【００２４】
以下、図面を用いて本考案の発音補助情報表示装置について説明する。
【００２５】
図１は、本考案の一実施形態である発音補助情報表示装置の外観を示す図である。
【００２６】
この発音補助情報表示装置１は、液晶ディスプレイ１１、スピーカ１２、および本体部１３を備えている。液晶ディスプレイ１１およびスピーカ１２は、本体部１３に接続されている。本体部１３には、本体部１３に情報を入力するためのキーパッド１３１と、本体部１３の状態を示すインジケータ１３２とがその前面に設けられている。この本体部１３で後述する発音歩情報表示プログラムが実行されることにより、液晶ディスプレイ１１に発音補助情報が表示され、スピーカ１２から音が出力される。なお、液晶ディスプレイ１１は本考案の表示部の一例に相当するものであり、スピーカ１２は本考案の音声出力部の一例に相当するものである。
【００２７】
図２は、図１に示す発音補助情報表示装置１のハードウェア構成を示す図である。
【００２８】
図２には、本体部１３が、図１に示すキーパッド１３１およびインジケータ１３２の他に、ＣＰＵ１３３、ＲＡＭ１３４、ＲＯＭ１３５、ＨＤＤ（ハードディスクドライブ）１３６、入出力インターフェース１３７を備えていることが示されている。ＣＰＵ１３３、ＲＡＭ１３４、ＲＯＭ１３５、ＨＤＤ１３６および入出力インターフェース１３７は相互に接続されており、入出力インターフェース１３７には、キーパッド１３１、インジケータ１３２、液晶ディスプレイ１１、およびスピーカ１２が接続されている。
【００２９】
ＣＰＵ１３３は、本考案の制御部の一例に相当するものである。このＣＰＵ１３３によって、ＲＯＭ１３５に格納された発音補助情報表示プログラムが実行され、本実施形態の発音補助情報表示装置１が機能する。ＲＡＭ１３４は、ＣＰＵ１３３がこの発音補助情報表示プログラムを実行する際の作業領域として使用される。また、ＨＤＤ１３６には、この発音補助情報表示プログラムで用いられる練習用データが予め複数格納されている。この練習用データは、アルファベットの文章を表す文章データと、この文章データに対応する発音補助データ、音データ等をセットにしたものであり、発音補助情報表示プログラムによって所定の期間再生されるものである。このＨＤＤ１３６は、本考案の記憶部の一例に相当する。なお、例えばＤＶＤ−ＲＯＭや半導体記憶メモリのような、ＨＤＤ以外の記憶装置を用いてもよい。
【００３０】
キーパッド１３１は、複数ある練習用データの中からどの練習用データを再生するかを選択するために用いられるものである。また、インジケータ１３２は、本体部１３の状態を表示するものである。
【００３１】
以下、図３を用いて上記発音補助情報表示プログラムの動作について説明する。同図は、発音補助情報表示プログラムによって練習用データが再生される処理の流れを示すフローチャートである。このフローチャートは、本体部１３のＣＰＵ１３３によって、本体部１３の電源が投入されたタイミングで実行される。
【００３２】
まず、最初のステップＳ１０１では、ＲＡＭ１３４の内容が初期化される。
【００３３】
続くステップＳ１０２では、データ選択処理が実行される。この処理では、ユーザにより複数の練習用データのうちのいずれか一つが選択されるまで待機し、練習用データが選択されると次のステップＳ１０３に進む。なお、このとき、発音補助データの出力の有無を設定することができる。
【００３４】
ステップＳ１０３では、選択された練習用データを準備するとともに、ＲＡＭ１３４内に設けられたカウンタタイマの値が０に設定される。なお、このとき、インジケータ１３２には、選択された練習用データについての情報が表示される。
【００３５】
以下のステップＳ１０４からＳ１０７では、このカウンタタイマの値を参照して練習用データが逐次出力される。より具体的には、ステップＳ１０４では音が出力され、ステップＳ１０５では文章が出力され、ステップＳ１０６では発音補助データが出力される。なお、ステップＳ１０２で発音補助データを出力しないことが設定されていた場合は、ステップＳ１０６では何も実行されない。
【００３６】
ステップＳ１０７では、練習用データが最後まで出力されたか否かを判定し、この条件を満たす場合にはステップＳ１０２のデータ選択処理に戻る。まだ練習用データを最後まで出力していない場合には、ステップＳ１０８でカウンタタイマの値に１を加算した後、ステップＳ１０４に戻る。なお、本実施形態ではステップＳ１０８は１０ｍｓ毎に実行されるため、カウンタタイマの値は１０ｍｓ毎に１づつ加算されることになる。ＣＰＵ１３３はこの値を基にして練習用データの出力タイミングをコントロールしている。
【００３７】
次に、練習用データの一例について説明する。
【００３８】
ここで説明する練習用データは、ＨＤＤ１３６に記憶されている練習用データのうちの一つであり、アルファベットの文章から成るある歌の歌詞（以降練習用歌詞と称する）をある曲（以降練習用曲と称する）に合わせて歌うためのものである。この練習用データには、練習用曲の音データと、この練習用曲に合わせて練習用歌詞を表示するための文章データと、この練習用歌詞の発音の手助けとなる補助情報を表示するための発音補助データが含まれている。以下、図４を用いて、上記文章データについて説明する。図４は、文章データの一例を示す図である。
【００３９】
図４には、横方向に”番号”、”表示内容”、”出現時間”の３つの項目から成るデータが、縦方向に複数示されている。このデータは、練習用データの再生が開始されてからの時間が”出現時間”に示す時間になったときに、”表示内容”に示された内容を液晶ディスプレイ１１に表示させることを示すものである。例えば、”番号”が”Ａ０２”のデータでは、再生開始から７．４秒（０ｍ７．４ｓ）経過した時点で”Ｔｈｏｓｅ  ｐｒｏｂｌｅｍｓ  ｓｅｅｍｅｄ  ｓｏ  ｆａｒ  ａｗａｙ”という内容を表示させることを示している。
【００４０】
図５は、練習用データを再生している様子を示す図である。この図５には、図４に示す”番号”が”Ａ０２”のデータが再生され、液晶ディスプレイ１１の領域Ｒにその表示内容が出力されている様子が示されている。また、この液晶ディスプレイ１１への出力と同時に、音データに基づく音がスピーカ１２から出力されている様子も示されている。
【００４１】
以下、図６を用いて図４に示す文章データに対応する発音補助データについて説明する。図６は、図４に示す文章データに対応する発音補助データを示す図である。
【００４２】
図６には、横方向に”番号”、”表示内容”、”出現時間”、”表示位置”の４つの項目から成るデータが、縦方向に複数示されている。各データは、練習用データの再生が開始されてからの時間が”出現時間”に示す時間になったときに、”表示内容”に示された内容を、”表示位置”に示された文章データの内容に重ねて液晶ディスプレイ１１に表示させることを示すものである。例えば、”番号”が”Ｂ０１”のデータでは、再生開始から９．４秒（０ｍ９．４ｓ）経過した時点で、図４に示す”番号”が”Ａ０２”の表示内容に示す文章の１５文字目に、薄い色の”ｓ”を重ねて表示させることを示している。すなわち、上記”Ｂ０１”のデータを出力することによって、”Ａ０２”の表示内容の一部が変更したように見せることができる。
【００４３】
図７は、液晶ディスプレイ１１に出力される内容が変更していく様子を示す図である。図７には、図４に示す文章データと、図６に示す発音補助データに従って、液晶ディスプレイ１１の領域Ｒに表示される内容が変更される様子が示されている。以下、具体的に説明する。
【００４４】
まず、練習用データの再生開始直後には、領域Ｒには何も表示されていない（図７の一番上）。再生開始から４．４秒が経過すると、図４に示す”Ａ０１”の表示内容が出力される（図７の上から２番目）。再生開始から７．４秒が経過すると、図４に示す”Ａ０１”の表示内容に代えて、”Ａ０２”の表示内容が出力される（図７の上から３番目）。この図４に示す”Ａ０２”の表示内容に重ねて、再生開始から９．４秒経過した時には図６に示す”Ｂ０１”の表示内容が、再生開始から９．８秒経過した時には図６に示す”Ｂ０２”の表示内容が、再生開始から１０．４秒経過した時には図６に示す”Ｂ０３”の表示内容が、それぞれ順に出力される（図７の上から４番目から６番目）。再生開始から１２．５秒が経過すると、図４に示す”Ａ０２”に続く表示内容である”Ａ０３”の表示内容が出力されるが、この際”Ａ０２”の表示内容が出力されなくなると同時に、上記”Ｂ０１”、”Ｂ０２”、および”Ｂ０３”の表示内容も出力されなくなる。
【００４５】
以下、この発音補助情報による効果について説明する。図８は、文章データの表示内容に、発音補助データの表示内容を重ねた表示例を示す図である。図８（ａ）には、図４に示す文章データ”Ａ１３”と”Ａ１４”の表示内容に、図６に示す”Ｂ１５”と”Ｂ１６”の表示内容が重ねて表示された様子が示されている。また、図８（ｂ）には、図８（ａ）とは異なる練習用データを用いた場合の表示例が示されている。
【００４６】
図８には、文章中の所々に”＋”の記号が示されている（図中のＰ参照）。この”＋”の記号が足し算を意味することは、多くの人に知られている。例えば、図８（ａ）の２行目にある”ｓｕｃｈ”と”ａｎ”と”ｅａｓｙ”の間や、図８（ｂ）の１行目にある”ｄｕｓｔ”と”ｉｎ”の間にそれぞれ”＋”の記号が表示されると、これらの単語が足されて一つになるような印象を与え、単語が繋がることを容易に理解させることができる。なお、この”＋”の記号が、本考案の発音連結指示の一例に相当する。
【００４７】
また、図８には、文章中の所々に色が薄い文字が示されている（図中のＷ参照）。例えば、図８（ａ）の２行目にある”ｗａｓ”の”ｓ”の文字や、図８（ｂ）の１行目にある”ｓｐｒｉｎｋｌｅｄ”の”ｄ”の文字のように色を薄くすると、その文字の存在があまり重要ではないことを感じさせるため、発音が弱まることを容易に理解させることができる。なお、この薄い色の文字が、本考案の弱発音指示の一例に相当する。
【００４８】
図８に示すように、本実施形態の発音補助情報表示装置では、ルビや難しい発音記号を用いずに、理解し易い態様で発音の補助方法が示されるため、初心者でも容易に発音を練習することができる。また、発音に慣れた際には、発音補助データの出力をオフに設定することで、原文だけを読みながら発音練習することもできる。
【００４９】
以下、本実施形態の発音補助情報表示装置の応用例について説明する。
【００５０】
まず、本実施形態は曲の音データを用いるものであったが、スピーチ等の音データを用いるというように、様々な音データを用いることができる。また、音データは必須ではなく、文章データと発音補助データのみからなる練習用データを用いてもよい。音データ以外にも、画像データを用意して、例えば映画のシーンを題材に発音練習をするものであってもよい。
【００５１】
本実施形態は、文章データおよび発音補助データに基づく表示内容が、液晶ディスプレイ１１の領域Ｒに順次表示されるものであるが、画面全体に表示されるものであってもよく、例えば画面下から画面上に向かって表示内容がスクロールするようなものであってもよい。
【００５２】
本実施形態における発音補助データの表示内容では、予定した時間になると文字の色が変化する（別の色の文字が重ねて表示される）ことにより、その文字の発音が弱まることを示す例について説明した。さらに、この色の変化をよりスムーズにして、例えば予定した期間を費やして色が薄くなっていくような変化をするものであってもよい。図９（ａ）は、文字色の変化の一例を示す図であり、この図には時間の経過に従って文字の色が薄くなっていく様子が示されている。また、本実施形態では、発音が弱くなる場合に薄い色に変化する例について説明したが、例えば、発音が弱くなる場合は青、強くなる場合は赤といったように、発音の種類に応じて色分けされたものであってもよい。また、文字の大きさを変化させることによって、発音の強弱を示すものであってもよい。
【００５３】
本実施形態における発音補助データの表示内容では、予定した時間になると記号”＋”が表示されることにより、単語がつながって発音されることを示す例について説明した。この記号の他に、例えば”−”（ハイフン）の記号のように、”＋”以外の記号を用いたものであってもよい。図９（ｂ）は、単語同士が近づいていく例を示す図である。この図に示すように、単語同士を近づけたり遠ざけたりすることで、単語を発音するタイミングを示すものであってもよい。
【００５４】
発音補助データはその表示内容によって、図６に示す表示内容以外にも様々な形態の発音補助情報を表示させることができる。以下、その例について説明する。
【００５５】
図１０は、息継ぎを示す発音補助データが、文章データに重ねて表示されている一例を示す図である。この図１０には、息継ぎを示す記号である”レ”が示されている（図中のＢ参照）。歌を歌う場合は息継ぎを適切に行わないと息が切れて上手く歌えないことがある。特に発音を気にするあまり息継ぎが安定しないと、かえって発音が上手くできないという悪循環に陥るおそれがある。この図１０に示すように息継ぎをする場所を示すことによって、間接的に発音を補助することができる。この記号”レ”が、本考案の息継ぎ指示の一例に相当する。
【００５６】
図１１は、図８（ａ）に示す表示内容に基づく発音に近い発音を表現した片仮名の文章を示す図である。上記説明した通り、日本語を母国語とするものが外国語を学習する際、母国語によるルビは最初のうちは学習の助けとなるが、ある程度学習が進むとかえって外国語習得の妨げになる。このため本実施形態の発音補助情報表示装置１では、片仮名を表記する機能を設けていなかったが、ＨＤＤ１３６にこの片仮名表記のための情報（本考案の発音補助仮名）を格納し、併記するか否かを設定できるようにしてもよい。この片仮名表記機能があることによって、学習の初期段階にある者が発音を効率よく習得できるようにすることができる。
【００５７】
図１２は、単語を構成する文字を別の文字に置き換える例を示す図である。
【００５８】
図１２（ａ）には、英単語”ｌｅｔｔｅｒ”が示されている。この単語は、日本語では一般的に”レター”と発音される。しかし、日本語で２文字目の”タ”に相当する部分は、実際の発音では”タ”とはっきり発音されず、むしろ”ラ”という発音に近い。
【００５９】
”タ”がはっきりと発音されないことを示すために、図８の表示態様のように”ｌｅｔｔｅｒ”の”ｔｔ”を薄い色で表示することが考えられる。しかし、この場合、”タ”を弱めて発音しても”ラ”という発音にはなりにくい。このため図１２（ａ）に示すように、時間の経過に合わせて”ｔｔ”を”ｌ”に置き換えて表示することにより、”ｔｔ”の文字に惑わされずに”ラ”と発音することができる。この置き換えられた”ｌ”の文字が、本考案の変化発音指示の一例に相当する。
【００６０】
図１２（ｂ）には、英単語”ｗａｔｅｒ”が示されている。この単語は、日本語では一般的に”ウォーター”と発音されるが、実際の発音では”ワラー”という発音に近い。この場合、図１２（ｂ）に示すように三文字目の”ｔ”を”ｌ”に置き換えて表示することにより、”ｔ”の文字に惑わされることなく”ワラー”と発音することができる。
【００６１】
ここで、発音補助データの出現時間について説明する。
【００６２】
図６に示す発音補助データの出現時間は一例であり、この出現時間をユーザの好みに合わせて早めたり、遅らせたりすることができるものであってもよい。このようにすることによって、習熟度に合わせたタイミングで発音補助情報を表示することができる。
【００６３】
また、上記発音補助情報を組み合わせて設定し、弱点を強化するような練習をすることができるようにしてもよい。このようにすることで、例えば、片仮名および息継ぎの情報を表示して歌の全体を一度把握しておき、それらに代えて発音が弱くなる情報だけを表示させるといった練習を行うことができる。
【００６４】
次に、図１３及び図１４を用いて、発音補助情報表示装置の構成について説明する。
【００６５】
図１３は、図１に示す発音補助情報表示装置の異なる構成を示す図である。この図に示すように、発音補助情報表示装置１は、発音補助方法表示プログラムを実行可能なコンピュータ１４に本体部１３を置き換えた形態で構成されるものであってもよい。
【００６６】
図１４は、図１に示す発音補助情報表示装置をネットワークに接続した様子を示す図である。この図に示すように、発音補助情報表示装置１をネットワーク１５を介してサーバ１６に接続し、練習用データをダウンロードできるようにしてもよい。このような構成にすると、発音補助情報表示装置１にない練習用データを得ることができる。より具体的には、発音補助情報表示装置が携帯端末のように記憶容量が少ない場合であっても、サーバ１６にある様々な練習用データを利用することができる。また、発音補助情報表示装置の処理速度が低く、発音補助データを重ねる処理ができない場合には、サーバ１６でこれらの処理を実行させることによって、発音補助情報表示装置にかかる負担を軽減することができる。
【００６７】
ここで、上記説明した発音補助データを作成する手段について説明する。
【００６８】
本実施形態の発音補助データは、単語の発音が繋がる部分、および発音が弱くなる部分を指示するためのものである。
【００６９】
単語の発音が繋がる場合の多くは、先の単語の最後が子音であり、かつ次の単語の先頭が母音であるときである。また、発音が弱くなる文字の多くは、先の単語の最後が子音であり、かつ次の単語の最初が子音であるときの、その先の単語の最後の子音にあたる文字である。本実施形態の発音補助データは、人の手によって作成されたものであるが、上記規則に基づいて自動的に作成された発音補助データを用いてもよい。また、上記規則に従って、発音補助データを作成するツールを用意すれば、発音補助データを作成する負担を軽減することができる。さらに、自動的に作成された発音補助データを基に、人の手で最終的な発音補助データを作成するものであってもよい。
【符号の説明】
【００７０】
１  発音補助情報表示装置
１１  液晶ディスプレイ
１２  スピーカ
１３  本体部
１３１  キーパッド
１３２  インジケータ
１３３  ＣＰＵ
１３４  ＲＡＭ
１３５  ＲＯＭ
１３６  ＨＤＤ
１３７  入出力インターフェース
１４  コンピュータ
１５  ネットワーク
１６  サーバ
【図１】
0003162269.tif 000003
【図２】
0003162269.tif 000004
【図３】
0003162269.tif 000005
【図４】
0003162269.tif 000006
【図５】
0003162269.tif 000007
【図１１】
0003162269.tif 000008
【図１３】
0003162269.tif 000009
【図１４】
0003162269.tif 000010
【図６】
0003162269.tif 000011
【図７】
0003162269.tif 000012
【図８】
0003162269.tif 000013
【図９】
0003162269.tif 000014
【図１０】
0003162269.tif 000015
【図１２】
0003162269.tif 000016